(57)【要約】【課題】取付部材に取り付けられる挟持部を差込方向に小型にしつつ、取付部材に係止する弾性係止片の可撓性を確保できる留め具を提供する。【解決手段】取付部材を被取付部材に取り付けるための留め具において、挟持部は２０、取付部材の板縁から差し込まれて取付部材に取り付けられる。固定部２２は、被取付部材に固定される。挟持部２０の弾性係止片２６は、基部２４に対向して位置し、基部２４との対向方向に撓み可能であって取付部材を挟む。弾性係止片２６は、取付部材の挟持部２０への差込方向と基部２４および弾性係止片２６の対向方向とに略直交する方向に延在する。弾性係止片２６の抜け止め部は、取付部材に形成された凹部または凸部に引っ掛かって差込方向への取付部材の抜け止めをする。【選択図】図３
2019094919.tif 000002
【特許請求の範囲】
【請求項１】
取付部材を被取付部材に取り付けるための留め具であって、
取付部材の板縁から差し込まれて取付部材に取り付けられる挟持部と、
被取付部材に固定される固定部と、を備え、
前記挟持部は、
基部と、
前記基部に対向して位置し、前記基部との対向方向に撓み可能であって取付部材を挟む弾性係止片と、を有し、
前記弾性係止片は、
取付部材の前記挟持部への差込方向と前記弾性係止片および前記基部の対向方向とに略直交する方向に延在し、
取付部材に形成された凹部または凸部に引っ掛かって取付部材の抜け止めをする抜け止め部を有することを特徴とする留め具。
【請求項２】
前記弾性係止片は、幅方向に見て、取付部材を差し込むための前記挟持部の差込口を広げるように前記基部に対して傾斜することを特徴とする請求項１に記載の留め具。
【請求項３】
前記弾性係止片は、取付部材を差し込んだ状態でその取付部材に接近するように湾曲することを特徴とする請求項１または２に記載の留め具。
【請求項４】
前記抜け止め部を形成する差込方向奥側に位置する前記弾性係止片の縁は、差込方向奥側に向かってふくらむように湾曲して形成されることを特徴とする請求項１から３のいずれかに記載の留め具。
【発明の詳細な説明】
【技術分野】
【０００１】
本発明は、取付部材を被取付部材に留める留め具に関する。
【背景技術】
【０００２】
特許文献１には、ハーネスプロテクタをパネル部材に取り付けるクリップが開示されている。このクリップは、ハーネスプロテクタに嵌合する嵌合部を有し、嵌合部は、基部と、基部に立設する柱部と、柱部に支持される座部と、座部の上部に設けられた係止爪とを有する。嵌合部は、ハーネスプロテクタのクリップ保持部に差し込まれ、係止爪がクリップ保持部の係合部に係止して、クリップ保持部に嵌合する。係止爪は、嵌合部がクリップ保持部に差し込まれる方向に沿って延びている。
【先行技術文献】
【特許文献】
【０００３】
【特許文献１】特開２０１５−１１７７３０号公報
【発明の概要】
【発明が解決しようとする課題】
【０００４】
特許文献１に開示されるクリップでは、係止爪の延びる方向が嵌合部をクリップ保持部へ差し込む方向と同じであるため、係止爪の可撓性を確保するためには、嵌合部がクリップ保持部の差し込み方向に長くなる。
【０００５】
本発明はこのような課題に鑑みてなされたものであり、その目的は、取付部材に取り付けられる挟持部を差込方向に小型にしつつ、取付部材に係止する弾性係止片の可撓性を確保できる留め具を提供することにある。
【課題を解決するための手段】
【０００６】
上記課題を解決するために、本発明のある態様は、取付部材を被取付部材に取り付けるための留め具であって、取付部材の板縁から差し込まれて取付部材に取り付けられる挟持部と、被取付部材に固定される固定部と、を備える。挟持部は、基部と、基部に対向して位置し、基部との対向方向に撓み可能であって取付部材を挟む弾性係止片と、を有する。弾性係止片は、取付部材の挟持部への差込方向と弾性係止片および基部の対向方向とに略直交する方向に延在し、取付部材に形成された凹部または凸部に引っ掛かって取付部材の抜け止めをする抜け止め部を有する。
【発明の効果】
【０００７】
本発明によれば、取付部材に取り付けられる挟持部を差込方向に小型にしつつ、取付部材に係止する弾性係止片の可撓性を確保できる留め具を提供できる。
【図面の簡単な説明】
【０００８】
【図１】実施例の留め具を取付部材に取り付けた状態を示す斜視図である。
【図２】取付部材の差込部およびその変形例を示す斜視図である。
【図３】留め具の斜視図である。
【図４】図４（ａ）は、留め具の正面図であり、図４（ｂ）は、留め具の側面図である。
【図５】図５（ａ）は、留め具の平面図であり、図５（ｂ）は、留め具の背面図である。
【図６】差込部に取り付けた状態の留め具の斜視図である。
【図７】差込部に取り付けた状態の留め具の断面図である。
【図８】変形例の留め具の斜視図である。
【図９】差込部に取り付けた状態の留め具の断面図である。
【発明を実施するための形態】
【０００９】
図１は、実施例の留め具１０を取付部材１２に取り付けた状態を示す斜視図である。留め具１０は、取付部材１２を被取付部材に留めるために用いられる。例えば、留め具１０は、車体パネルに外装部品や内装部品を留めるために使用される。
【００１０】
取付部材１２は、内面から張り出す差込部１２ａを有し、差込部１２ａは、平らな板状に形成される。留め具１０は、取付部材１２を挟持する挟持部２０と、被取付部材（不図示）に固定される固定部２２を備える。挟持部２０は、差込部１２ａの板縁１２ｂから差し込まれて取付部材１２に取り付けられる。固定部２２は、水平方向に被取付部材の取付孔に挿入されて取付孔の縁に係止する。
【００１１】
図２は、取付部材１２の差込部１２ａおよびその変形例を示す斜視図である。図２（ａ）に示す差込部１２ａは、差込部１２ａの板面を凹んで形成された凹部１２ｃを有する。図２（ａ）に示す凹部１２ｃは貫通しているが、底があってもよい。凹部１２ｃは台形に形成されるが、正方形であってよい。
【００１２】
図２（ｂ）に示す変形例の差込部１２ａは、差込部１２ａの板面から突出して形成された凸部１２ｄを有する。凸部１２ｄは、差込部１２ａの差込方向に直交する方向に延びる。凹部１２ｃおよび凸部１２ｄは、挟持部２０に引っ掛けられて、留め具１０が外れることを抑える。
【００１３】
図３は、留め具１０の斜視図である。図３（ａ）は差込口３２側の留め具１０の正面を見た図であり、図３（ｂ）は留め具１０の背面を見た図である。また、図４（ａ）は、留め具１０の正面図であり、図４（ｂ）は、留め具１０の側面図である。また、図５（ａ）は、留め具１０の平面図であり、図５（ｂ）は、留め具１０の背面図である。
【００１４】
固定部２２は、軸部４０および弾性係止部４２を有する。軸部４０は、挟持部２０の基部２４から延び、柱状に形成される。図４（ａ）に示すように弾性係止部４２は、軸部４０の先端側から基部２４に向かって延びるように一対形成される。弾性係止部４２は、軸部４０に対して接近および離れるように撓み可能であり、被取付部材の取付孔の縁に係止する。
【００１５】
挟持部２０は、基部２４、弾性係止片２６、側壁部２８および梁部３０を有する。基部２４は、矩形で平らな板状に形成され、裏面が被取付部材の表面に当接するとともに、表面が差込部１２ａの裏面に当接する。
【００１６】
側壁部２８は、基部２４の両側から立設し、対向するように一対形成される。側壁部２８には、図４（ｂ）に示すように、差込口３２側から奥に向かって切り欠かれたスリット３４が形成される。スリット３４は、基部２４に対して傾斜し、差込口３２に向かって基部２４から離れるように広がる。スリット３４には差込部１２ａが差し込まれる。
【００１７】
弾性係止片２６は、基部２４に対向して位置し、基部２４との対向方向に撓み可能である。弾性係止片２６は、側壁部２８におけるスリット３４より上側、すなわちスリット３４より梁部３０側にて側壁部２８に支持される。弾性係止片２６は、基部２４と差込部１２ａを挟み、弾性係止片２６の弾性で差込部１２ａを押さえつけて留め具１０と差込部１２ａのガタつきを抑える。
【００１８】
弾性係止片２６は、取付部材１２の差込部１２ａに形成された凹部１２ｃまたは凸部１２ｄに引っ掛かって差込方向とは反対方向への差込部１２ａの抜け止めをする抜け止め部２６ａを有する。抜け止め部２６ａは、弾性係止片２６において差込口３２側と反対側の縁、すなわち弾性係止片２６の奥側の縁に位置する。
【００１９】
弾性係止片２６は、図４（ａ）に示すように、挟持部２０への差込部１２ａの差込方向および基部２４との対向方向に略直交する幅方向４８に延在する。図４（ｂ）に示すように、差込部１２ａの差込方向４４は、基部２４の上面に沿い、差込口３２から奥側に向かう。また、基部２４および弾性係止片２６の対向方向４６は、差込方向４４に直交し、基部２４の上面の面直方向であり、軸部４０の軸方向および側壁部２８の立設方向に沿う。弾性係止片２６が幅方向４８に長く延在するように設けられることで、弾性係止片２６の可撓性を十分に確保しつつ、挟持部２０の差込方向４４の長さが短く設定されても挟持部２０が差込部１２ａを安定して挟持でき、挟持部２０を差込方向４４に小型化できる。挟持部２０は、幅方向４８の長さが差込方向４４の長さより長くなるように構成されてよい。
【００２０】
弾性係止片２６は、図４（ｂ）に示すように、挟持部２０の差込口３２に向かって基部２４から離れるように傾斜する。つまり、弾性係止片２６は、幅方向４８に見て差込口３２を広げるように基部２４に対して傾斜し、差込口３２から奥側に向かって基部２４に近づくように傾斜する。これにより、弾性係止片２６は、差込部１２ａを受け入れやすく、差し込みガイドとして機能できる。弾性係止片２６およびスリット３４は、幅方向４８に見て平行であり、スリット３４は弾性係止片２６と同様に、差込口３２から奥側に向かって基部２４に近づくように傾斜し、差し込みガイドとして機能する。
【００２１】
弾性係止片２６は、図４（ａ）に示すように中央２６ｂが基部２４に接近するように湾曲する。弾性係止片２６は、両側の側壁部２８のそれぞれから基部２４に接近するように湾曲する。これにより、弾性係止片２６の全長を幅方向４８に長くでき、弾性係止片２６が、差し込まれた差込部１２ａに当たって対向方向４６に撓みやすくなり、差込部１２ａとのガタつきを抑えることができる。また、留め具１０を差込部１２ａに対して幅方向４８に移動させることで弾性係止片２６の抜け止めを容易に外すことができる。また、弾性係止片２６の中央２６ｂが凹部１２ｃの中心から幅方向４８にずれている場合に、弾性係止片２６によってセンタリングすることができる。
【００２２】
図５（ａ）に示すように、抜け止め部２６ａを形成する差込方向４４奥側に位置する弾性係止片２６の縁は、中央が差込方向４４奥側に向かってふくらむように湾曲して形成される。抜け止め部２６ａは、弾性係止片２６の略円弧状の縁に形成される。これにより、差込部１２ａが差込方向４４に対して斜めに挟持部２０に差し込まれても、略円弧状の縁のいずれかの部分が凹部１２ｃまたは凸部１２ｄに引っかかるように構成できる。
【００２３】
梁部３０は、一対の側壁部２８を連結して、側壁部２８の剛性を高める。また、弾性係止片２６が梁部３０および基部２４の間に位置しており、梁部３０は、弾性係止片２６を防護する。
【００２４】
図６は、差込部１２ａに取り付けた状態の留め具１０の斜視図である。図７は、差込部１２ａに取り付けた状態の留め具１０の断面図である。なお、図７（ａ）は図６（ａ）に示す留め具１０の線分Ａ−Ａの断面図であり、図７（ｂ）は図７（ａ）と同じ位置の断面であるが、留め具１０が差込部１２ａの凸部１２ｄに係止した状態の断面図を示す。
【００２５】
差込部１２ａは、板縁１２ｂから挟持部２０の差込口３２に差し込まれ、弾性係止片２６を基部２４から離れるように撓ませ、弾性係止片２６の抜け止め部２６ａが凹部１２ｃに入ると、弾性係止片２６の復元によって図６（ｂ）および図７（ａ）に示すように抜け止め部２６ａが凹部１２ｃの縁に係止する。これにより、取付部材１２が基部２４および弾性係止片２６により挟持される。
【００２６】
差込部１２ａは、スリット３４に差し込まれるとともに、図７（ａ）に示すように弾性係止片２６によって基部２４に押さえつけられているため、差込部１２ａと留め具１０のガタつきが抑えられている。
【００２７】
図７（ｂ）に示すように、差込部１２ａが弾性係止片２６と基部２４の間に差し込まれて、抜け止め部２６ａが凸部１２ｄに係止し、弾性係止片２６が撓んで差込部１２ａを基部２４に押さえつけている。
【００２８】
取付部材１２の取り外しについて説明する。留め具１０は、固定部２２により被取付部材に固定されているため、取付部材１２の取り外しには、抜け止め部２６ａの係止が解除される必要がある。作業者は、差込部１２ａを幅方向４８にずらすことで、差込部１２ａに取り付けられた複数の留め具１０の抜け止め部２６ａの係止を解除し、差込方向４４の逆向きに取付部材１２を引っ張ることで取付部材１２を取り外すことができる。弾性係止片２６の中央２６ｂが基部２４に接近するように弾性係止片２６が湾曲しているため、抜け止め部２６ａの係止を容易に解除することができる。
【００２９】
図８は、変形例の留め具１００の斜視図である。変形例の留め具１００は、図３に示す留め具１０と比べて、固定部２２の形状は同じであるが、挟持部１２０の形状、とくに弾性係止片１２６の形状が異なる。
【００３０】
挟持部１２０は、基部２４と、弾性係止片１２６、側壁部１２８および梁部１３０を有する。側壁部１２８は、基部２４の両側から立設し、一対形成される。側壁部１２８には、差込口３２側から奥に向かって切り欠かれたスリット１３４が形成される。スリット１３４は、基部２４および／または梁部１３０に対して傾斜し、差込口３２に向かって梁部１３０から離れるように広がる。
【００３１】
弾性係止片１２６は、基部２４に対向して位置し、基部２４との対向方向４６に撓み可能である。弾性係止片１２６は、側壁部１２８におけるスリット１３４より下側、すなわちスリット１３４より基部２４側にて側壁部１２８に支持される。弾性係止片１２６は、差込部１２ａに形成された凹部１２ｃまたは凸部１２ｄに引っ掛かって差込方向４４とは反対方向への差込部１２ａの抜け止めをする抜け止め部１２６ａを有する。
【００３２】
弾性係止片１２６は、差込口３２に向かって基部２４に接近するように傾斜する。つまり、弾性係止片１２６は、幅方向４８に見て差込口３２を広げるように基部２４に対して傾斜し、差込口３２から奥側に向かって梁部１３０に近づくように傾斜する。これにより、弾性係止片１２６は、差込部１２ａを受け入れやすく、差し込みガイドとして機能できる。抜け止め部１２６ａを形成する差込方向奥側の弾性係止片１２６の縁は、中央が奥側に向かってふくらむように湾曲して形成される。つまり抜け止め部１２６ａは、弾性係止片１２６の略円弧状の縁に形成される。これにより、差込部１２ａが位置ずれしても、抜け止め部１２６ａが凹部１２ｃまたは凸部１２ｄに引っかかりやすくなる。
【００３３】
梁部１３０は、一対の側壁部１２８を連結して、側壁部１２８の剛性を高める。弾性係止片１２６は、梁部１３０および基部２４の間に位置し、梁部１３０に向かって中央が接近するように湾曲する。すなわち、弾性係止片１２６の中央が基部２４から最も離間するように湾曲する。
【００３４】
図９は、差込部１２ａに取り付けた状態の留め具１００の断面図である。図９（ａ）では留め具１００が差込部１２ａの凹部１２ｃに係止しており、図９（ｂ）では、留め具１００が差込部１２ａの凸部１２ｄに係止している。
【００３５】
差込部１２ａは、板縁１２ｂから挟持部１２０の差込口３２に差し込まれ、弾性係止片１２６を基部２４に接近するように撓ませ、弾性係止片１２６の抜け止め部１２６ａが凹部１２ｃに入ると、図９（ａ）に示すように弾性係止片１２６の復元によって抜け止め部１２６ａが凹部１２ｃの縁に係止する。また、弾性係止片１２６が差込部１２ａを梁部１３０に押さえつけている。これにより、取付部材１２の差込部１２ａが弾性係止片１２６および梁部１３０により挟持される。
【００３６】
図９（ｂ）に示すように弾性係止片１２６の抜け止め部１２６ａが凸部１２ｄに係止し、弾性係止片１２６が差込部１２ａを梁部１３０に押さえつけている。このように変形例の留め具１００であっても、弾性係止片１２６の弾性で留め具１００と差込部１２ａのガタつきを抑え、幅方向４８に延在する弾性係止片１２６により差込部１２ａを安定して挟持でき、挟持部２０を差込方向４４に小型化できる。
【００３７】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００３８】
実施例では、被取付部材に固定する固定部２２として、被取付部材の取付孔の縁に一対の弾性係止部４２を係止させる態様を示したが、この態様に限定されない。例えば、固定部２２が、被取付部材のスタッドボルトに固定される場合、スタッドボルトの溝に係止する複数の弾性爪と、複数の弾性爪を支持する筒部を有してよい。
【００３９】
また実施例では、弾性係止片２６，１２６が、一対の側壁部２８，１２８に支持される両持ち片である態様を示したが、この態様に限られない。例えば、弾性係止片２６，１２６は、一対の側壁部２８，１２８のいずれか一方にのみ支持される片持ち片であってよい。また、弾性係止片２６は、梁部３０に支持され、梁部３０から延出してもよく、変形例の弾性係止片１２６は、基部２４に支持され、基部２４から延出してもよい。
【符号の説明】
【００４０】
１０  留め具、  １２  取付部材、  １２ａ  差込部、  １２ｂ  板縁、  １２ｃ  凹部、  １２ｄ  凸部、  ２０  挟持部、  ２２  固定部、  ２４  基部、  ２６  弾性係止片、  ２６ａ  抜け止め部、  ２８  側壁部、  ３０  梁部、  ３２  差込口、  ３４  スリット、  ４０  軸部、  ４２  弾性係止部。
【図１】
2019094919.tif 000003
【図２】
2019094919.tif 000004
【図３】
2019094919.tif 000005
【図４】
2019094919.tif 000006
【図５】
2019094919.tif 000007
【図６】
2019094919.tif 000008
【図７】
2019094919.tif 000009
【図８】
2019094919.tif 000010
【図９】
2019094919.tif 000011